(57)【要約】【課題】休止中の凝縮器に滞留していた冷媒を、回収して冷媒循環回路に戻すことができる自動販売機を提供する。【解決手段】冷媒回路１０００Ａは、圧縮機１とガスクーラ２と膨張手段４とを順次連結する冷却用高圧配管系と、膨張手段４と左室蒸発器５Ｌおよび中室蒸発器５Ｍおよび右室蒸発器５Ｒと圧縮機１とを順次連結する冷却用低圧配管系と、圧縮機１と、左室凝縮器７Ｌおよび中室凝縮器７Ｍとガスクーラと膨張手段４とを順次連結する加熱用高圧配管系とを有し、加熱用高圧配管系の中室凝縮器７Ｍの出側８Ｍと冷却用低圧配管系の膨張手段４の出側とが、中室冷媒回収電磁弁８５Ｍｖが設置された冷媒回収配管８５Ｍによって連結されている。ＨＣＣ運転モードまたはＣＣ運転モードを実行中に中室冷媒回収電磁弁８５Ｍｖを開いて、中室凝縮器７Ｍに貯溜していた冷媒を冷却用低圧配管系の配管４５に吸引する。【選択図】図３
2010072810.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器若しくは前記中室凝縮器の一方あるいは両方を通過した冷媒が、供給される膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記膨張手段と、を順次連結する冷却用高圧配管系と、
前記膨張手段と、前記左室蒸発器および前記中室蒸発器および前記右室蒸発器と、前記圧縮機とを順次連結する冷却用低圧配管系と、
前記圧縮機と、前記左室凝縮器および前記中室凝縮器と、前記ガスクーラと、前記膨張手段とを順次連結する加熱用高圧配管系と、
冷媒回収電磁弁が設置され、前記加熱用高圧配管系と前記冷却用低圧配管系とを遮断自在または連通自在に接続する冷媒回収配管と、を具備することを特徴とする自動販売機。
【請求項２】
前記冷媒回収配管が、前記左室凝縮器若しくは前記中室凝縮器の一方あるいは両方と前記ガスクーラとの間と、前記膨張手段と前記左室蒸発器および前記中室蒸発器および前記右室蒸発器との間と、を連結することを特徴とする請求項１記載の自動販売機。
【請求項３】
前記冷媒回収配管が、前記左室凝縮器若しくは前記中室凝縮器の一方あるいは両方と前記ガスクーラとの間と、前記左室蒸発器および前記中室蒸発器および前記右室蒸発器と前記圧縮機との間と、を連結することを特徴とする請求項１記載の自動販売機。
【請求項４】
前記冷媒回収配管が、前記圧縮機と前記左室凝縮器若しくは前記中室凝縮器の一方あるいは両方との間と、前記膨張手段と前記左室蒸発器および前記中室蒸発器および前記右室蒸発器との間と、を連結することを特徴とする請求項１記載の自動販売機。
【請求項５】
前記冷媒回収配管が、前記圧縮機と前記左室凝縮器若しくは前記中室凝縮器の一方あるいは両方との間と、前記左室蒸発器および前記中室蒸発器および前記右室蒸発器と前記圧縮機との間と、を連結することを特徴とする請求項１記載の自動販売機。
【請求項６】
前記冷媒回収配管に冷媒回収ポンプが設置されてなることを特徴とする請求項１記載の自動販売機。
【請求項７】
前記冷媒回路が、前記膨張手段に替えてエジェクタを具備し、
前記冷却用高圧配管系の一方の端部が前記膨張手段に替えて前記エジェクタの供給口に連結され、
前記冷却用低圧配管系の一方の端部が前記膨張手段に替えて前記エジェクタの吐出口に連結され、
前記冷媒回収配管が、前記加熱用高圧配管系と前記冷却用低圧配管系とを遮断自在または連通自在に接続する替わりに、前記加熱用高圧配管系と前記エジェクタの吸引口に連結されてなることを特徴とする請求項１記載の自動販売機。
【請求項８】
前記左室または前記中室の一方に設置された前記左室凝縮器または前記中室凝縮器の一方に前記圧縮機において圧縮された冷媒が供給され、前記左室または前記中室の他方に設置された前記左室蒸発器または前記中室蒸発器の一方と前記右室蒸発器とに前記膨張手段において膨張した冷媒が供給される一室加熱二室冷却運転において、
前記冷媒が供給されない前記左室凝縮器または前記中室凝縮器に滞留していた冷媒を、前記冷媒回収電磁弁を開いて、前記冷却用低圧配管系に流入させることを特徴とする請求項１記載の自動販売機。
【請求項９】
前記左室または前記中室の一方に設置された前記左室凝縮器または前記中室凝縮器の一方に前記圧縮機において圧縮された冷媒が供給され、前記左室または前記中室の他方に設置された前記左室蒸発器または前記中室蒸発器の一方と前記右室蒸発器とに前記膨張手段において膨張した冷媒が供給される一室加熱二室冷却運転において、
前記左室凝縮器または前記中室凝縮器の一方への前記圧縮機において圧縮された冷媒の供給を中断して、前記冷却用高圧配管系を経由して前記膨張手段において膨張した冷媒を、前記左室または前記中室の他方に設置された前記左室蒸発器または前記中室蒸発器の一方と前記右室蒸発器とに供給すると共に、
前記冷媒が供給されない前記左室凝縮器または前記中室凝縮器に滞留していた冷媒を、前記冷媒回収電磁弁を開いて、前記冷却用低圧配管系に流入させることを特徴とする請求項１記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（以下、「高圧高温冷媒」と称す）を凝縮させる庫外凝縮器（ガスクーラに同じ）と、凝縮された冷媒（以下、「高圧中温冷媒」と称す）を膨張させる膨張手段と、膨張した冷媒（以下、「低圧低温冷媒」と称す）を蒸発させる庫内蒸発器と、これらを順次連結して蒸発した冷媒（以下、「低圧中温冷媒」と称す）を圧縮機に戻す冷媒循環回路と、からなる冷凍サイクルを有し、商品を収納する各商品収納庫内に庫内蒸発器を設置して、商品を冷却していた。
また、庫内蒸発器に高圧高温冷媒（ホットガスに同じ）を流して、庫内蒸発器において温熱を放出させて（凝縮器と機能させて）商品収納庫内を加熱する「ヒートポンプ運転」を実行する発明が開示されている（例えば、特許文献１参照）。
【０００３】
しかし、前記特許文献１に開示された発明は、加熱しようとする商品収納庫に向かう高圧高温冷媒と、冷却した商品収納庫から流出して圧縮機に戻る低圧低温冷媒とが、開閉バルブによって隔絶されているだけであるため、開閉バルブに漏洩がある場合には、前者が後者に混じって圧縮機に直接戻ることになる。そうすると、商品収納庫に流入する高圧高温冷媒および低圧低温冷媒の量が減少して、加熱不足および冷却不足が生じると共に、これを防止するため圧縮機の負荷が増大して消費エネルギが増加することになる。
そこで、商品収納庫に高圧高温冷媒が供給される凝縮器と、低圧低温冷媒が供給される庫内蒸発器とを並設して、高圧高温冷媒が流れる配管と、低圧低温冷媒が流れる配管とを分離する発明が開示されている（例えば、特許文献２参照）。
【０００４】
【特許文献１】特開２００２−２９８２１０号公報（第３−４頁、図１）
【特許文献２】特開２００７−３２８７６２号公報（第１７−１８頁、図４）
【発明の開示】
【発明が解決しようとする課題】
【０００５】
しかしながら、前記特許文献２に開示された発明は、前記特許文献１に開示された発明における問題点を解決するものの、以下のような新たな問題があった。
すなわち、一方の商品収納庫を加熱して、その他の商品収納庫を冷却する運転モード（ＨＣＣ運転モード、ＣＨＣ運転モード）のとき、高圧高温冷媒が供給されない凝縮器（以下、「休止中の凝縮器」と称する場合がある）に、配管に設置されている電磁弁等の漏れによって、高圧高温冷媒が浸入して滞留すること（いわゆる「冷媒の寝込み」）がある。このため、冷媒循環量が減少して、冷却能力や加熱能力が不足し、商品を所望の温度に保持できなかったり、商品を所望の温度に保持しようとすると圧縮機の負担が増大したりする。
【０００６】
本発明は上記問題を解決するものであって、休止中の凝縮器に滞留していた冷媒を、回収して冷媒循環回路に戻すことができる自動販売機を提供することを目的とする。
【課題を解決するための手段】
【０００７】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左室、中室および右室と、該左室、中室および右室を選択的に加熱または冷却するための冷媒回路と、を有し、
前記冷媒回路が、
冷媒を圧縮する圧縮機と、
該圧縮機によって圧縮された冷媒が選択的に供給されるガスクーラと、
前記圧縮機によって圧縮された冷媒が選択的に供給される、前記左室に配置された左室凝縮器および前記中室に配置された中室凝縮器と、
前記ガスクーラを通過した冷媒、または前記左室凝縮器若しくは前記中室凝縮器の一方あるいは両方を通過した冷媒が、供給される膨張手段と、
該膨張手段を通過した冷媒が選択的に供給される、前記左室に配置された左室蒸発器、前記中室に配置された中室蒸発器、および前記右室に配置された右室蒸発器と、
前記圧縮機と、前記ガスクーラと、前記膨張手段と、を順次連結する冷却用高圧配管系と、
前記膨張手段と、前記左室蒸発器および前記中室蒸発器および前記右室蒸発器と、前記圧縮機とを順次連結する冷却用低圧配管系と、
前記冷却用低圧配管系と前記圧縮機と、前記左室凝縮器および前記中室凝縮器と、前記ガスクーラと前記膨張手段との間において前記室冷却用配管系に合流する加熱用高圧配管系と、
冷媒回収電磁弁が設置され、前記加熱用高圧配管系と前記冷却用低圧配管系とを遮断自在または連通自在に接続する冷媒回収配管と、を具備することを特徴とする。
【０００８】
（２）本発明に係る自動販売機（請求項２）は、前記（１）において、前記冷媒回収配管が、前記左室凝縮器若しくは前記中室凝縮器の一方あるいは両方と前記ガスクーラとの間と、前記膨張手段と前記左室蒸発器および前記中室蒸発器および前記右室蒸発器との間と、を連結することを特徴とする。
【０００９】
（３）本発明に係る自動販売機（請求項３）は、前記（１）において、前記冷媒回収配管が、前記左室凝縮器若しくは前記中室凝縮器の一方あるいは両方と前記ガスクーラとの間と、前記左室蒸発器および前記中室蒸発器および前記右室蒸発器と前記圧縮機との間と、を連結することを特徴とする。
【００１０】
（４）本発明に係る自動販売機（請求項４）は、前記（１）において、前記冷媒回収配管が、前記圧縮機と前記左室凝縮器若しくは前記中室凝縮器の一方あるいは両方との間と、前記膨張手段と前記左室蒸発器および前記中室蒸発器および前記右室蒸発器との間と、を連結することを特徴とする。
【００１１】
（５）本発明に係る自動販売機（請求項５）は、前記（１）において、前記冷媒回収配管が、前記圧縮機と前記左室凝縮器若しくは前記中室凝縮器の一方あるいは両方との間と、前記左室蒸発器および前記中室蒸発器および前記右室蒸発器と前記圧縮機との間と、を連結することを特徴とする。
【００１２】
（６）本発明に係る自動販売機（請求項６）は、前記（１）において、前記冷媒回収配管に冷媒回収ポンプが設置されてなることを特徴とする。
【００１３】
（７）本発明に係る自動販売機（請求項７）は、前記（１）において、前記冷媒回路が、前記膨張手段に替えてエジェクタを具備し、
前記冷却用高圧配管系の一方の端部が前記膨張手段に替えて前記エジェクタの供給口に連結され、
前記冷却用低圧配管系の一方の端部が前記膨張手段に替えて前記エジェクタの吐出口に連結され、
前記冷媒回収配管が、前記加熱用高圧配管系と前記冷却用低圧配管系とを遮断自在または連通自在に接続する替わりに、前記加熱用高圧配管系と前記エジェクタの吸引口に連結されてなることを特徴とする。
【００１４】
（８）本発明に係る自動販売機（請求項８）は、前記（１）において、前記左室または前記中室の一方に設置された前記左室凝縮器または前記中室凝縮器の一方に前記圧縮機において圧縮された冷媒が供給され、前記左室または前記中室の他方に設置された前記左室蒸発器または前記中室蒸発器の一方と前記右室蒸発器とに前記膨張手段において膨張した冷媒が供給される一室加熱二室冷却運転において、
前記冷媒が供給されない前記左室凝縮器または前記中室凝縮器に滞留していた冷媒を、前記冷媒回収電磁弁を開いて、前記冷却用低圧配管系に流入させることを特徴とする。
【００１５】
（９）本発明に係る自動販売機（請求項９）は、前記（１）において、前記左室または前記中室の一方に設置された前記左室凝縮器または前記中室凝縮器の一方に前記圧縮機において圧縮された冷媒が供給され、前記左室または前記中室の他方に設置された前記左室蒸発器または前記中室蒸発器の一方と前記右室蒸発器とに前記膨張手段において膨張した冷媒が供給される一室加熱二室冷却運転において、
前記左室凝縮器または前記中室凝縮器の一方への前記圧縮機において圧縮された冷媒の供給を中断して、前記冷却用高圧配管系を経由して前記膨張手段において膨張した冷媒を、前記左室または前記中室の他方に設置された前記左室蒸発器または前記中室蒸発器の一方と前記右室蒸発器とに供給すると共に、
前記冷媒が供給されない前記左室凝縮器または前記中室凝縮器に滞留していた冷媒を、前記冷媒回収電磁弁を開いて、前記冷却用低圧配管系に流入させることを特徴とする。
【発明の効果】
【００１６】
（ｉ）本発明の請求項１に係る自動販売機は、冷媒回路が、冷却用高圧配管系と冷却用低圧配管系と加熱用高圧配管系と冷媒回収配管とを具備し、加熱用高圧配管系と冷却用低圧配管系とが、冷媒回収電磁弁が設置された冷媒回収配管によって、遮断自在または連通自在に接続されている。このため、冷媒回収配管を遮断することによって、一室加熱二室冷却運転モードを実行することができると共に、冷媒回収配管を連通することによって、左室凝縮器または中室凝縮器の一方（休止している）に滞留していた冷媒を、冷却用低圧配管系に回収することができる。よって、かかる冷媒が冷媒循環回路に戻されるから、冷媒循環量が確保され、圧縮機に過剰な負担をかけることなく、商品を所望の温度に保持することができる。
【００１７】
（ｉｉ）本発明の請求項２に係る自動販売機は、冷媒回収配管が、左室凝縮器若しくは中室凝縮器の一方あるいは両方の出側と膨張手段の出側とを連結するから、前記（ｉ）記載の効果を奏する。このとき、滞留していた冷媒は低圧低温冷媒に吸引され、加熱用高圧配管系を通常の流れ方向に流れた後、冷媒回収配管を経由して、低圧低温冷媒に混合される。
【００１８】
（ｉｉｉ）本発明の請求項３に係る自動販売機は、冷媒回収配管が、左室凝縮器若しくは中室凝縮器の一方あるいは両方の出側と圧縮機の入側とを連結するから、前記（ｉ）記載の効果を奏する。このとき、滞留していた冷媒は低圧中温冷媒に吸引され、加熱用高圧配管系を通常の流れ方向に流れた後、冷媒回収配管を経由して、低圧中温冷媒に混合される。
【００１９】
（ｉｖ）本発明の請求項４に係る自動販売機は、冷媒回収配管が、左室凝縮器若しくは中室凝縮器の一方あるいは両方の入側と膨張手段の出側とを連結するから、前記（ｉ）記載の効果を奏する。このとき、滞留していた冷媒は低圧低温冷媒に吸引され、加熱用高圧配管系を通常とは反対の方向に流れた後、冷媒回収配管を経由して、低圧低温冷媒に混合される。
【００２０】
（ｖ）本発明の請求項５に係る自動販売機は、冷媒回収配管が、左室凝縮器若しくは中室凝縮器の一方あるいは両方の入側と圧縮機の入側とを連結するから、前記（ｉ）記載の効果を奏する。このとき、滞留していた冷媒は低圧中温冷媒に吸引され、加熱用高圧配管系を通常とは反対の方向に流れた後、冷媒回収配管を経由して、低圧中温冷媒に混合される。
【００２１】
（ｖｉ）本発明の請求項６に係る自動販売機は、冷媒回収配管に冷媒回収ポンプが設置されてなるから、滞留していた冷媒が低圧中温冷媒に確実に回収される。
【００２２】
（ｖｉｉ）本発明の請求項７に係る自動販売機は、膨張手段に替えてエジェクタを具備し、その吸引口に冷媒回収配管が接続されるから、所望の低圧低温冷媒が得られると共に、滞留していた冷媒が確実に吸引される。
【００２３】
（ｖｉｉｉ）本発明の請求項８に係る自動販売機は、制御手段が、一室加熱二室冷却運転を継続しながら、滞留していた冷媒を冷媒回収電磁弁を開いて冷却用低圧配管系に流入させるから、商品の温度変動を最少に抑えながら、冷媒回収を実行することができる。
【００２４】
（ｉｘ）本発明の請求項９に係る自動販売機は、制御手段が、一室加熱二室冷却運転を一旦中断して、二室冷却運転（加熱室なし）に切り替えて、滞留していた冷媒を回収するから、前記（ｉ）記載の効果を奏する。また、加熱用高圧配管系と冷媒回収配管とを接合（分岐）する位置を選定する自由度が増す。
【発明を実施するための最良の形態】
【００２５】
以下、図面に基づいて本発明の実施の形態１〜４に係る自動販売機１０００〜４０００を説明する。自動販売機１０００〜４０００は、装備する冷媒回路の構成（配管の分岐や結合）と冷媒の流れ方に特徴を有するものであって、それぞれＡタイプ、Ｂタイプ、Ｃタイプ、Ｄタイプの冷媒回路を有している。
そこで、まず、Ａタイプ、Ｂタイプ、Ｃタイプ、Ｄタイプについて簡単に説明する。
図１は本発明の実施の形態１〜４に係る自動販売機が装備する冷媒回路の特徴を対比する冷媒回路構成図である。図１において、それぞれの冷媒回路は、２台の凝縮機と３台の蒸発器とを有し、凝縮機の入側と出側とにはそれぞれ加熱用高圧配管が接続され、蒸発器の入側と出側とにはそれぞれ冷却用低圧配管が接続されている。
Ａタイプ（実施の形態１、冷媒回路１０００Ａ）では、凝縮機の出側と蒸発器の入側とが、冷媒回収配管によって接続されている（図１の（ａ）参照）。
Ｂタイプ（実施の形態２、冷媒回路１０００Ｂ）では、凝縮機の出側と蒸発器の出側とが、冷媒回収配管によって接続されている（図１の（ｂ）参照）。
Ｃタイプ（実施の形態３、冷媒回路１０００Ｃ）では、凝縮機の入側と蒸発器の入側とが、冷媒回収配管によって接続されている（図１の（ｃ）参照）。
Ｄタイプ（実施の形態４、冷媒回路１０００Ｄ）では、凝縮機の入側と蒸発器の出側とが、冷媒回収配管によって接続されている（図１の（ｄ）参照）。
なお、図１において、各配管に設置された電磁弁や逆止弁の記載を省略している。以下、それぞれについて詳細に説明する。
【００２６】
［実施の形態１：自動販売機］
図２〜図６は本発明の実施の形態１に係る自動販売機を説明するものであって、図２の（ａ）は正面視の断面図、図２の（ｂ）は側面視の断面図、図３はこれに設置された冷媒回路の構成図、図４〜図６は冷媒の流れ方を示す冷媒回路構成図、図７〜図９は実施例を示す冷媒回路構成図である。
図１および図２において、自動販売機１０００は、自動販売機１０００の本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１０００の前扉４０６と、を有している。
【００２７】
商品収納庫４００は仕切り板４０３ＬＭ、４０３ＭＲによって商品室（以下、「左室」と称す）４００Ｌ、商品室（以下、「中室」と称す）４００Ｍ、商品室（以下、「右室」と称す）４００Ｒに仕切られている。
なお、以下の説明において、左室４００Ｌ、中室４００Ｍおよび右室４００Ｒのそれぞれに配置される部材において、共通する内容を説明する場合には、それぞれをまとめてまたはそれぞれを個別に、部材名称を形容する「左室、中室、右室」や、符号の添え字「Ｌ、Ｍ、Ｒ」を省略する場合がある。
【００２８】
各商品収納庫４００には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４００となっている。また、庫内空気を商品収納ラック４０７を経由して庫内部品収納室４００に循環させるための循環ダクト４２０が設置されている。
【００２９】
そして、庫内部品収納室４００には、庫内空気を商品誘導板４０８（通気孔が設けられている）を通過して商品Ｓに衝突させる室内ファン４３０と、室内ファン４３０の下流（循環ダクト４２０から遠い側）に庫内熱交換器４４０と、室内ファン４３０および庫内熱交換器４４０を収納する送風ダクト４５０と、送風ダクト４５０に連通して空気を通す風胴４６０と、が設置されている。そして、風胴４６０の上面に室内温度を測定する室内温度センサー５００が設置されている。
さらに、商品収納庫４００の下方には、コンデンシングユニット４７０および庫外ファン４８１を収納するための機械室４８０と、電装品および制御手段を収納するための電装品収納室４９０とが配置されている。
【００３０】
（冷媒回路：Ａタイプ）
図３において、自動販売機１０００が有する冷媒回路１０００Ａは、冷媒を圧縮する圧縮機１と、圧縮機１によって圧縮された冷媒（高圧高温冷媒）が選択的に供給されるガスクーラ２と、圧縮機１によって圧縮された高圧高温冷媒が選択的に供給される、左室４００Ｌに配置された左室凝縮器７Ｌおよび中室４００Ｍに配置された中室凝縮器７Ｍと、ガスクーラ２を通過した冷媒（高圧中温冷媒）、若しくは左室凝縮器７Ｌまたは中室凝縮器７Ｍの一方または両方を通過した冷媒（高圧中温冷媒）が、供給される膨張手段（例えば、キャピラリー）４と、膨張手段４を通過した冷媒（低圧低温冷媒）が選択的に供給される、左室４００Ｌに配置された左室蒸発器５Ｌ、中室４００Ｍに配置された中室蒸発器５Ｍ、および右室４００Ｒに配置された右室蒸発器５Ｒと、を有している。
【００３１】
また、冷媒回路１０００Ａは、圧縮機１とガスクーラ２と膨張手段４とを順次連結する冷却用高圧配管系と、膨張手段４と左室蒸発器５Ｌおよび中室蒸発器５Ｍおよび右室蒸発器５Ｒと圧縮機１とを順次連結する冷却用低圧配管系と、圧縮機１と、左室凝縮器７Ｌおよび中室凝縮器７Ｍと、ガスクーラと、膨張手段４とを順次連結する加熱用高圧配管系と、を有している。
そして、冷却用高圧配管系と冷却用低圧配管系とによって、商品を冷却するための冷媒循環回路が形成され、加熱用高圧配管系と冷却用低圧配管系とによって、商品を加熱するための冷媒循環回路が形成される。
【００３２】
そして、加熱用高圧配管系の左室凝縮器７Ｌの出側８Ｌと、冷却用低圧配管系の膨張手段４の出側とを連通する、左室冷媒回収電磁弁８５Ｌｖが設置された左室冷媒回収配管８５Ｌが設けられている。同様に、加熱用高圧配管系の中室凝縮器７Ｍの出側８Ｍと、冷却用低圧配管系の膨張手段４の出側とを連通する、中室冷媒回収電磁弁８５Ｍｖが設置された中室冷媒回収配管８５Ｍが設けられている。
なお、一室加熱運転のとき、加熱される商品収納庫が限定される場合には、左室冷媒回収配管８５Ｌまたは中室冷媒回収配管８５Ｍの一方のみを設置してもよい。
【００３３】
なお、説明の便宜上、符号ｊの部材（位置を含む）と符号ｋの部材（位置を含む）とを連結する配管を符号ｊｋにて示し、配管ｊｋに設置された電磁弁を符号ｊｋｖと、配管ｊｋに設置された逆止弁（逆流防止弁に同じ）を符号ｊｋｎ、配管ｊｋに設置された流量調整弁を符号ｊｋｆとする。また、冷媒の流れる様子を説明する図において、冷媒が流れる配管を実線で、冷媒が流れない配管を破線によって示している。
すなわち、冷却用高圧配管系では、圧縮機１とガスクーラ２とは電磁弁１２ｖが設置された配管１２によって連結され、ガスクーラ２と内部熱交換器３とは逆止弁２３ｎが設置された配管２３によって連結されている。
そして、冷却用低圧配管系では、膨張手段４と蒸発器５を連結する配管４５が、左室蒸発器５Ｌに連通する配管４５Ｌと、中室蒸発器５Ｍに連通する配管４５Ｍと、右室蒸発器５Ｒに連通する配管４５Ｒと、にそれぞれ分岐され、それぞれに、電磁弁４５Ｌｖ、４５Ｍｖ、４５Ｒｖと、流量調整弁４５Ｌｆ、４５Ｍｆ、４５Ｒｆとが設置されている。
【００３４】
一方、加熱用高圧配管系では、圧縮機１と凝縮器７の入側６とを連結する配管１６が、左室凝縮器７Ｌの入側６Ｌに連通する電磁弁１６Ｌｖが設置された配管１６Ｌと、中室凝縮器７Ｍの入側６Ｍに連通する電磁弁１６Ｍｖが設置された配管１６Ｌと、に分岐されている。
また、左室凝縮器７Ｌの出側８Ｌに接続された配管８９Ｌ（逆止弁８９Ｌｎが設置されている）と、中室凝縮器７Ｍの出側８Ｍに接続された配管８９Ｍ（逆止弁８９Ｍｎが設置されている）とは、合流点９においてガスクーラ２に至る配管９２に合流している。
そして、ガスクーラ２と内部熱交換器３とは、逆止弁２３Ｈｎが設置された配管２３Ｈによって接続されている（冷却用高圧配管系の逆止弁２３ｎが設置された配管２３との混乱を避けるため、「Ｈ」と追記している）。
【００３５】
なお、ガスクーラ２は、冷却用高圧配管系の一部を構成する伝熱管（図示しない）と、加熱用高圧配管系の一部を構成する伝熱管（図示しない）と、が共通の放熱板（図示しない）を千鳥状に貫通するものであって、大気を通過させる庫外ファン２ｆを有している。
なお、本発明は、冷却用高圧配管系について、ガスクーラ２とは別個の熱交換手段（温熱の大気中への放熱手段）を設けてもよいし、熱バランスがとれる場合には、冷却用高圧配管系に温熱の大気中への放熱手段を設けなくてもよい。
【００３６】
（冷媒の流れ、通常のＨＣＣ運転モード）
図４において、冷媒回路１０００Ａにおける通常のＨＣＣ運転モードにおける冷媒の流れを実線にて示している。すなわち、圧縮機１において圧縮された高圧高温冷媒は、配管１６Ｌ（電磁弁１６Ｌｖが開き、電磁弁１２ｖおよび電磁弁１６Ｍｖが閉じている）を経由して左室凝縮器７Ｌに流入する。そうすると、高圧高温冷媒は、左室凝縮器７Ｌにおいて凝縮（温熱を放出）して、左室４００Ｌを加熱する。
そして、左室凝縮器７Ｌを通過した冷媒（高圧中温冷媒に同じ）は配管８９Ｌに流入し、配管９２を経由してガスクーラ２を通過して冷却用高圧配管系に流入する。
【００３７】
すなわち、高圧中温冷媒は内部熱交換器３を通過して膨張手段４に供給される。そして、膨張手段４において膨張した低圧低温冷媒は配管４５Ｍおよび配管４５Ｒに流入し（電磁弁４５Ｌｖが閉じ、電磁弁４５Ｍｖおよび電磁弁４５Ｒｖが開いている）、流量調整弁４５Ｍｆおよび流量調整弁４５Ｒｆによって流量調整され中室蒸発器５Ｍおよび右室蒸発器５Ｒに供給される。そうすると、低圧低温冷媒は、中室蒸発器５Ｍおよび右室蒸発器５Ｒにおいて蒸発（冷熱を放出）して、中室４００Ｍおよび右室４００Ｒを冷却する。
さらに、前記蒸発した後の冷媒（低圧中温冷媒に同じ）は、配管５３Ｍおよび配管５３Ｒに流入し、配管５３に統合された後、内部熱交換器３を通過して圧縮機１に戻る循環をする。
【００３８】
なお、加熱用高圧配管系の配管１６Ｍには電磁弁１６Ｍｖと、配管８９Ｍには逆止弁８９Ｍｎと、がそれぞれ設置されているから、通常は、高圧中温冷媒が中室凝縮器７Ｍに浸入することがないが、これらに僅かであれ漏れがある場合には、高圧中温冷媒が中室凝縮器７Ｍに貯溜（寝込む）ことがある。
また、冷却用高圧配管系の配管１２には電磁弁１２ｖと、配管２３には逆止弁２３ｎとがそれぞれ設置されているから、通常は、高圧中温冷媒がガスクーラ２に浸入することがないが、これらに僅かであれ漏れがある場合には、高圧中温冷媒がガスクーラ２に浸入することがある。
【００３９】
（冷媒の流れ、冷媒回収ＨＣＣ運転モード）
図５において、冷媒回路１０００ＡのＨＣＣ運転モードにおける冷媒回収時の冷媒流れを実線にて示している。すなわち、通常のＨＣＣ運転モードを実行中に、左室冷媒回収電磁弁８５Ｌｖは閉じたまま、中室冷媒回収電磁弁８５Ｍｖを開いている。
したがって、ＨＣＣ運転モードの実行を継続しながら、中室凝縮器７Ｍに滞留していた冷媒は、中室冷媒回収配管８５Ｍ（中室冷媒回収電磁弁８５Ｍｖが開いている）を経由して、冷却用低圧配管系の配管４５に吸引される。よって、かかる冷媒が冷媒循環回路に戻されるから、冷媒循環量が確保され、圧縮機１に過剰な負担をかけることなく、商品Ｓを所望の温度に保持することができる。
なお、通常のＣＨＣ運転モードを実行中に、中室冷媒回収電磁弁８５Ｍｖは閉じたまま、左室冷媒回収電磁弁８５Ｌｖを開けば、左室凝縮器７Ｌに滞留していた冷媒は、左室冷媒回収配管８５Ｌを経由して、冷却用低圧配管系の配管４５に吸引される（図示しない）。
【００４０】
（冷媒の流れ、冷媒回収ＣＣ運転モード）
図６において、冷媒回路１０００ＡのＣＣ運転モード（加熱する部屋がない）における冷媒回収時の冷媒流れを実線にて示している。すなわち、通常のＨＣＣ運転モードを一旦中断して、ＣＣ運転モードに移行している。
このとき、加熱用高圧配管系には高圧高温冷媒が流入しないから、圧縮機１において圧縮された高圧高温冷媒はガスクーラ２に直接流入（電磁弁１６Ｌｖおよび電磁弁１６Ｍｖが閉じ、電磁弁１２ｖが開いている）した後、膨張手段４に供給される。そして、低圧低温冷媒となって、中室蒸発器５Ｍおよび右室蒸発器５Ｒに供給される。
そうすると、左室冷媒回収電磁弁８５Ｌｖは閉じたまま、中室冷媒回収電磁弁８５Ｍｖを開けると、中室凝縮器７Ｍに滞留していた冷媒は、中室冷媒回収配管８５Ｍを経由、冷却用低圧配管系の配管４５に吸引される。よって、かかる冷媒が冷媒循環回路に戻されるから、冷媒循環量が確保され、圧縮機１に過剰な負担をかけることなく、商品Ｓを所望の温度に保持することができる。
なお、中室冷媒回収電磁弁８５Ｍｖは閉じたまま、左室冷媒回収電磁弁８５Ｌｖを開けば、左室凝縮器７Ｌに滞留していた冷媒は、左室冷媒回収配管８５Ｌを経由して、冷却用低圧配管系の配管４５に吸引される（図示しない）。
【００４１】
（実施例−Ａ１タイプ）
図７において、冷媒回路１００１Ａは、冷媒回路１０００Ａにおける中室凝縮器７Ｍの出側８（逆止弁８９Ｍｎよりも上流側）において分岐した冷媒回収配管８５Ｍに替えて、配管９２の合流点９（逆止弁８９Ｍｎよりも下流側）よりも下流において分岐した冷媒回収配管９５を設置したものである。そして、冷媒回収配管９５には冷媒回収電磁弁９５ｖが、配管９２には電磁弁９２ｖが、それぞれ設置されている。
したがって、ＨＣＣ運転モードにおいて中室凝縮器７Ｍに滞留していた冷媒を回収するには、ＨＣＣ運転モードを一旦中断して、ＣＣ運転モードに移行し、冷媒回収電磁弁９５ｖを開く。そうすると、中室凝縮器７Ｍに滞留していた冷媒とＨＣＣ運転モードにおいて左室凝縮器７Ｌに供給された冷媒との両方が、冷媒回収配管９５を経由して、配管４５に吸い込まれる。
このとき、電磁弁９２ｖが閉じられているから、仮に、逆止弁２３Ｈｎに漏れがあったとしても、その漏れを低減することができる。なお、電磁弁９２ｖの設置を省略してもよい。また、左室冷媒回収配管８５Ｌおよび中室冷媒回収配管８５Ｍを設けたもの（図３参照）よりも、電磁弁の数量が減少し、配管の長さが短縮されている。
【００４２】
（実施例−Ａ２タイプ）
図８において、冷媒回路１００２Ａは、冷媒回路１００１Ａにおける冷媒回収配管９５に冷媒回収ポンプ９５ｐが追加して設置されている。
したがって、ＨＣＣ運転モードにおいて中室凝縮器７Ｍに滞留していた冷媒を回収するには、ＨＣＣ運転モードを一旦中断して、ＣＣ運転モードに移行し、冷媒回収電磁弁９５ｖを開くと共に、冷媒回収ポンプ９５ｐを運転する。そうすると、中室凝縮器７Ｍに滞留していた冷媒とＨＣＣ運転モードにおいて左室凝縮器７Ｌに供給された冷媒との両方が、冷媒回収配管９５を経由して、配管２３に確実に吸い込まれる。
このとき、図８に配管９２に電磁弁９２ｖ（図７参照）が設置されていないが、電磁弁９２ｖを設置してもよい。
【００４３】
（実施例−Ａ３タイプ）
図９において、冷媒回路１００３Ａは、膨張手段４に替えてエジェクタ４０を設置したものである。すなわち、冷却用高圧配管系を構成する配管３４の一方の端部が膨張手段の入側に替えてエジェクタ４０の供給口に連結され、冷却用低圧配管系を構成する配管４５の一方の端部が膨張手段４に替えてエジェクタ４０の吐出口に連結され、さらに、冷媒回収配管９４が、冷却用低圧配管系を構成する配管４５に接続される替わりに、エジェクタ４０の吸引口に接続されている。
したがって、ＨＣＣ運転モードにおいて中室凝縮器７Ｍに滞留していた冷媒を回収するには、ＨＣＣ運転モードを一旦中断して、ＣＣ運転モードに移行し、冷媒回収電磁弁９５ｖを開く。そうすると、エジェクタ４０において高圧高温冷媒が膨張して低圧低温冷媒になる際、吸引口から、滞留していた冷媒を吸引するから、かかる冷媒は、冷媒回収配管９４を経由してエジェクタ４０に確実に流入し、低圧低温冷媒になる。よって、かかる冷媒が冷媒循環回路に戻されるから、冷媒循環量が確保され、圧縮機１に過剰な負担をかけることなく、商品Ｓを所望の温度に保持することができる。
【００４４】
（左室凝縮器における冷媒の滞留について）
以上は、中室凝縮器７Ｍに滞留していた冷媒の回収について説明しているが、本発明はこれに限定するものではない。すなわち、左室凝縮器７Ｌに滞留した冷媒を回収する場合には、前記説明における、添え字Ｍが付された電磁弁の操作を、添え字Ｌが付された電磁弁について実行し、反対に、添え字Ｌが付された電磁弁の操作を、添え字Ｍが付された電磁弁について実行すればよい。
【００４５】
［実施の形態２：自動販売機］
図１０および図１１は本発明の実施の形態２に係る自動販売機を説明するものであって、図１０は設置された冷媒回路における冷媒の流れ方を示す冷媒回路構成図、図１１は実施例を示す冷媒回路構成図である。
自動販売機２０００（図示しない）は、自動販売機１０００（実施の形態１）が有する冷媒回路１０００Ａに替えて、冷媒回路１０００Ｂを有している。なお、自動販売機２０００は冷媒回路１０００Ｂを除く構成が、自動販売機１０００に同じであるから、同じ部分または相当する部分には同じ符号を付し、一部の説明を省略する。
【００４６】
（冷媒回路：Ｂタイプ）
図１０において、自動販売機２０００が有する冷媒回路１０００Ｂは、冷媒回路１０００Ａが加熱用高圧配管系の左室凝縮器７Ｌの出側８Ｌおよび中室凝縮器７Ｍの出側８Ｍと冷却用低圧配管系の膨張手段４の出側とを、それぞれ連通する左室冷媒回収配管８５Ｌおよび中室冷媒回収配管８５Ｍ（図３参照）を具備するのに対し、冷媒回路１０００Ｂは、加熱用高圧配管系の左室凝縮器７Ｌの出側８Ｌと冷却用低圧配管系の内部熱交換器３の入側とを連通する左室冷媒回収配管８３Ｌ（左室冷媒回収電磁弁８３Ｌｖが設置されている）と、加熱用高圧配管系の中室凝縮器７Ｍの出側８Ｍと冷却用低圧配管系の内部熱交換器３の入側とを連通する中室冷媒回収配管８３Ｍ（中室冷媒回収電磁弁８３Ｍｖが設置されている）を具備している。
そして、左室冷媒回収配管８３Ｌおよび中室冷媒回収配管８３Ｍ以外の構成は冷媒回路１０００Ａに同じである。なお、冷媒回路１００２Ａに準じて、左室冷媒回収配管８３Ｌおよび中室冷媒回収配管８３Ｍに冷媒回収ポンプを設置してもよい。
なお、一室加熱運転のとき、加熱される商品収納庫が限定される場合には、左室冷媒回収配管８３Ｌまたは中室冷媒回収配管８３Ｍの一方のみを設置してもよい。
【００４７】
（冷媒の流れ、冷媒回収ＨＣＣ運転モード）
図１０において、冷媒回路１０００ＢのＨＣＣ運転モードにおける冷媒回収時の冷媒流れを実線にて示している。すなわち、通常のＨＣＣ運転モードを実行中に、左室冷媒回収電磁弁８３Ｌｖを閉じたまま、中室冷媒回収電磁弁８３Ｍｖを開いている。
したがって、ＨＣＣ運転モードの実行を継続しながら、中室凝縮器７Ｍに滞留していた冷媒は、連通した中室冷媒回収配管８３Ｍを経由して、冷却用低圧配管系の配管５３に吸引され、中室蒸発器５Ｍおよび右室蒸発器５Ｒを通過した後の冷媒（低圧中温冷媒）に混入する。よって、かかる冷媒が冷媒循環回路に戻されるから、冷媒循環量が確保され、圧縮機１に過剰な負担をかけることなく、商品Ｓを所望の温度に保持することができる。
さらに、通常のＣＨＣ運転モードを実行中に、中室冷媒回収電磁弁８３Ｍｖを閉じたまま、左室冷媒回収電磁弁８３Ｌｖを開けば、左室凝縮器７Ｌに滞留していた冷媒は、連通した左室冷媒回収配管８３Ｌを経由して、冷却用低圧配管系の配管５３に吸引され、回収される（図示しない）。
【００４８】
（冷媒の流れ、冷媒回収ＣＣ運転モード）
また、冷媒回路１０００ＢのＣＣ運転モード（加熱する部屋がない）における冷媒回収時の冷媒流れは、通常のＨＣＣ運転モードを一旦中断して、ＣＣ運転モードに移行すると共に、左室冷媒回収電磁弁８３Ｌｖは閉じたまま、中室冷媒回収電磁弁８３Ｍｖを開くものである。
このとき、加熱用高圧配管系には高圧高温冷媒が流入することはなく、中室凝縮器７Ｍに滞留していた冷媒は、中室冷媒回収配管８３Ｍ（中室冷媒回収電磁弁８３Ｍｖが開いている）を経由して、冷却用低圧配管系の配管５３に吸引される。すなわち、冷媒回収ＨＣＣ運転モードと同様の作用効果が得られる。
さらに、通常のＣＣ運転モードを実行中に、中室冷媒回収電磁弁８３Ｍｖを閉じたまま、左室冷媒回収電磁弁８３Ｌｖを開けば、左室凝縮器７Ｌに滞留していた冷媒は、連通した左室冷媒回収配管８３Ｌを経由して、冷却用低圧配管系の配管５３に吸引され、回収される（図示しない）。
【００４９】
（実施例−Ｂ１タイプ）
図１１において、冷媒回路１００１Ｂは、冷媒回路１０００Ｂにおける中室凝縮器７Ｍの出側８（逆止弁８９Ｍｎよりも上流側）において分岐した冷媒回収配管８３Ｍに替えて、配管９２の合流点９（逆止弁８９Ｍｎよりも下流側）よりも下流において分岐した冷媒回収配管９３を設置したものである。そして、冷媒回収配管９３には冷媒回収電磁弁９３ｖが設置されている。
したがって、ＨＣＣ運転モードにおいて中室凝縮器７Ｍに滞留していた冷媒を回収するには、ＨＣＣ運転モードを一旦中断して、ＣＣ運転モードに移行し、冷媒回収電磁弁９３ｖを開く。そうすると、中室凝縮器７Ｍに滞留していた冷媒とＨＣＣ運転モードにおいて左室凝縮器７Ｌに供給された冷媒との両方が、冷媒回収配管９３を経由して、配管５３に吸い込まれる。よって、かかる冷媒が冷媒循環回路に戻されて低圧中温冷媒に混合されるから、冷媒循環量が確保され、圧縮機１に過剰な負担をかけることなく、商品Ｓを所望の温度に保持することができる。
なお、冷媒回路１００２Ａに準じて、冷媒回収配管９３に冷媒回収ポンプを追加して設置してもよい。
【００５０】
［実施の形態３：自動販売機］
図１２〜図１４は本発明の実施の形態３に係る自動販売機を説明するものであって、図１２は設置された冷媒回路における冷媒の流れ方を示す冷媒回路構成図、図１３および図１４は実施例を示す冷媒回路構成図である。
自動販売機３０００（図示しない）は、自動販売機１０００（実施の形態１）が有する冷媒回路１０００Ａに替えて、冷媒回路１０００Ｃを有している。なお、自動販売機３０００は冷媒回路１０００Ｃを除く構成が、自動販売機１０００に同じであるから、同じ部分または相当する部分には同じ符号を付し、一部の説明を省略する。
【００５１】
（冷媒回路：Ｃタイプ）
図１２において、自動販売機３０００が有する冷媒回路１０００Ｃは、冷媒回路１０００Ａが加熱用高圧配管系の左室凝縮器７Ｌの出側８Ｌおよび中室凝縮器７Ｍの出側８Ｍと冷却用低圧配管系の膨張手段４の出側とを、それぞれ連通する左室冷媒回収配管８５Ｌおよび中室冷媒回収配管８５Ｍ（図３参照）を具備するのに対し、冷媒回路１０００Ｃは、加熱用高圧配管系の左室凝縮器７Ｌの入側６Ｌと冷却用低圧配管系の膨張手段４の出側とを連通する左室冷媒回収配管６５Ｌ（左室冷媒回収電磁弁６５Ｌｖが設置されている）と、加熱用高圧配管系の中室凝縮器７Ｍの入側６Ｍと冷却用低圧配管系の膨張手段４の出側とを連通する中室冷媒回収配管６５Ｍ（中室冷媒回収電磁弁６５Ｍｖが設置されている）を具備している。
そして、左室冷媒回収配管６５Ｌおよび中室冷媒回収配管６５Ｍ以外の構成は冷媒回路１０００Ａに同じである。なお、冷媒回路１００２Ａに準じて、左室冷媒回収配管８５Ｌおよび中室冷媒回収配管８５Ｍに冷媒回収ポンプを設置してもよい。また、冷媒回路１００３Ａに準じて、膨張手段４に替えてエジェクタ４０を設置し、これに左室冷媒回収配管６５Ｌおよび中室冷媒回収配管６５Ｍを接続してもよい。
なお、一室加熱運転のとき、加熱される商品収納庫が限定される場合には、左室冷媒回収配管６５Ｌまたは中室冷媒回収配管６５Ｍの一方のみを設置してもよい。
【００５２】
（冷媒の流れ、冷媒回収ＨＣＣ運転モード）
図１２において、冷媒回路１０００ＣのＨＣＣ運転モードにおける冷媒回収時の冷媒流れを実線にて示している。すなわち、通常のＨＣＣ運転モードを実行中に、左室冷媒回収電磁弁６５Ｌｖを閉じたまま、中室冷媒回収電磁弁６５Ｍｖを開いている。
したがって、ＨＣＣ運転モードの実行を継続しながら、中室凝縮器７Ｍに滞留していた冷媒は、中室冷媒回収配管６５Ｍ（中室冷媒回収電磁弁６５Ｍｖが開いている）を経由した、冷却用低圧配管系の配管４５に吸引される。よって、かかる冷媒が冷媒循環回路に戻されるから、冷媒循環量が確保され、圧縮機１に過剰な負担をかけることなく、商品Ｓを所望の温度に保持することができる。このとき、滞留していた冷媒は、中室凝縮器７Ｍ内を通常の冷媒流れ方向とは逆の方向に流れる。
一方、通常のＣＨＣ運転モードを実行中に、中室冷媒回収電磁弁６５Ｍｖを閉じたまま、左室冷媒回収電磁弁６５Ｌｖを開けば、左室凝縮器７Ｌに滞留していた冷媒は、左室冷媒回収配管６５Ｌ（左室冷媒回収電磁弁６５Ｌｖが開いている）を経由して、冷却用低圧配管系の配管４５に吸引されて回収される（図示しない）。
【００５３】
（冷媒の流れ、冷媒回収ＣＣ運転モード）
また、冷媒回路１０００ＣのＣＣ運転モード（加熱する部屋がない）における冷媒回収時の冷媒流れは、通常のＨＣＣ運転モードを一旦中断して、ＣＣ運転モードに移行すると共に、左室冷媒回収電磁弁６５Ｌｖを閉じたまま、中室冷媒回収電磁弁６５Ｍｖを開くものである。
このとき、加熱用高圧配管系には高圧高温冷媒が流入することはなく、中室凝縮器７Ｍに滞留していた冷媒は、中室冷媒回収配管６５Ｍ（中室冷媒回収電磁弁６５Ｍｖが開いている）を経由して、冷却用低圧配管系の配管４５に吸引される。すなわち、冷媒回収ＨＣＣ運転モードと同様の作用効果が得られる。
一方、通常のＣＣ運転モードにおいて、中室冷媒回収電磁弁８３Ｍｖを閉じたまま、左室冷媒回収電磁弁８３Ｌｖを開くと、左室凝縮器７Ｌに滞留していた冷媒は、左室冷媒回収配管６３Ｌを経由して、冷却用低圧配管系の配管４５に吸引され、回収される（図示しない）。
【００５４】
（実施例−Ｃ１タイプ）
図１３において、冷媒回路１００１Ｃは、冷媒回路１０００Ｃに、加熱用高圧配管系の左室凝縮器７Ｌの入側６Ｌと冷却用低圧配管系の膨張手段４の出側とを連通する冷媒回収配管６５Ｌ（冷媒回収電磁弁６５Ｌｖが設置されている）を追加して設置したものである。
したがって、ＨＣＣ運転モードを継続しながら、あるいはＣＣ運転モードに一旦切り替えて、左室凝縮器７Ｌに滞留していた冷媒または中室凝縮器７Ｍに滞留していた冷媒の一方または両方を回収することができる。
【００５５】
図１３の（ａ）は、左室凝縮器７Ｌを休止して、中室凝縮器７Ｍにのみ高圧高温冷媒を供給する「ＣＨＣ運転モード」を実行しながら、休止している左室凝縮器７Ｌに滞留していた冷媒を回収する様子を示している。すなわち、冷媒回収電磁弁６５Ｌｖを開き、冷媒回収電磁弁６５Ｍｖは閉じたままにしている。
【００５６】
図１３の（ｂ）は、左室凝縮器７Ｌを休止して、中室凝縮器７Ｍにのみ高圧高温冷媒を供給する「ＣＨＣ運転モード」を一旦中断して、「ＣＣ運転モード」を実行しながら、休止している左室凝縮器７Ｌに滞留していた冷媒と、中室凝縮器７Ｍに供給された冷媒とを回収する様子を示している。
すなわち、電磁弁１６Ｌｖ、１６Ｍｖが閉じているから、加熱用高圧配管系には高圧高温冷媒が流入しない。一方、冷媒回収電磁弁６５Ｌｖ、６５Ｍｖが開いているから、左室凝縮器７Ｌに滞留していた冷媒と中室凝縮器７Ｍに供給された冷媒との両方が、冷媒回収配管６５Ｌ、６５Ｍを経由、冷却用低圧配管系の配管４５に吸引される。よって、かかる冷媒が冷媒循環回路に戻されるから、冷媒循環量が確保され、圧縮機１に過剰な負担をかけることなく、商品Ｓを所望の温度に保持することができる。
なお、左室凝縮器７Ｌに滞留していた冷媒のみを回収する場合には、冷媒回収電磁弁６５Ｌｖを開き、冷媒回収電磁弁６５Ｍｖを閉じたままにしておけばよい。
【００５７】
（実施例−Ｃ２タイプ）
図１４において、  冷媒回路１００２Ｃは、冷媒回路１０００Ｃにおける冷媒回収配管６５Ｍに替えて、配管１６（圧縮機１と凝縮器７の入側６とを接続している）と配管４５（膨張手段４と蒸発器５とを接続している）とを連結する冷媒回収配管１５を設置したものである。そして、冷媒回収配管１５には、冷媒回収電磁弁１５ｖを設置し、配管１６の圧縮機１寄りに電磁弁１６ｖを設置したものである。
なお、冷媒回路１００２Ａに準じて、冷媒回収配管１５に冷媒回収ポンプを設置したり、冷媒回路１００３Ａに準じて、膨張手段４に替えてエジェクタ４０を設置したりしてもよい。
【００５８】
図１４は、中室凝縮器７Ｍを休止して、左室凝縮器７Ｌにのみ高圧高温冷媒を供給する「ＨＣＣ運転モード」を一旦中断して、「ＣＣ運転モード」を実行しながら、休止している中室凝縮器７Ｍに滞留していた冷媒を回収する様子を示している。
すなわち、電磁弁１６ｖが閉じているから、加熱用高圧配管系である配管１６に高圧高温冷媒が流入しない。一方、電磁弁１６Ｌｖは閉じたままで、電磁弁１６Ｍｖおよび冷媒回収電磁弁１５ｖが開いているから、中室凝縮器７Ｍに滞留していた冷媒は、既設の配管１６Ｍおよび冷媒回収配管１５を経由して、冷却用低圧配管系の配管４５に吸引される。
【００５９】
このとき、ＨＣＣ運転モードを実行する際に配管１６に供給された高圧高温冷媒、すなわち、ＣＣ運転モードに切り替わった際に電磁弁１６ｖと電磁弁１６Ｍｖとの間に閉じ込められた高圧高温冷媒も、中室凝縮器７Ｍに滞留していた冷媒と一緒に配管４５に吸引される。
よって、かかる冷媒が冷媒循環回路に戻されるから、冷媒循環量が確保され、圧縮機１に過剰な負担をかけることなく、商品Ｓを所望の温度に保持することができる。なお、左室凝縮器７Ｌに供給された冷媒も回収したい場合には、電磁弁１６Ｌｖも開けばよい。
【００６０】
［実施の形態４：自動販売機］
図１５〜図１７は本発明の実施の形態４に係る自動販売機を説明するものであって、図１５は設置された冷媒回路における冷媒の流れ方を示す冷媒回路構成図、図１６および図１７は実施例を示す冷媒回路構成図である。
自動販売機４０００（図示しない）は、自動販売機１０００（実施の形態１）が有する冷媒回路１０００Ａに替えて、冷媒回路１０００Ｄを有している。なお、自動販売機４０００は冷媒回路１０００Ｄを除く構成が、自動販売機１０００に同じであるから、同じ部分または相当する部分には同じ符号を付し、一部の説明を省略する。
【００６１】
（冷媒回路：Ｄタイプ）
図１５において、自動販売機４０００が有する冷媒回路１０００Ｄは、冷媒回路１０００Ａが加熱用高圧配管系の左室凝縮器７Ｌの出側８Ｌおよび中室凝縮器７Ｍの出側８Ｍと冷却用低圧配管系の膨張手段４の出側とを、それぞれ連通する左室冷媒回収配管８５Ｌおよび中室冷媒回収配管８５Ｍ（図３参照）を具備するのに対し、冷媒回路１０００Ｃは、加熱用高圧配管系の左室凝縮器７Ｌの入側６Ｌと冷却用低圧配管系の内部熱交換器３の入側とを連通する左室冷媒回収配管６３Ｌ（左室冷媒回収電磁弁６３Ｌｖが設置されている）と、加熱用高圧配管系の中室凝縮器７Ｍの入側６Ｍと冷却用低圧配管系の内部熱交換器３の入側とを連通する中室冷媒回収配管６３Ｍ（中室冷媒回収電磁弁６３Ｍｖが設置されている）を具備している。
そして、左室冷媒回収配管６３Ｌおよび中室冷媒回収配管６３Ｍ以外の構成は冷媒回路１０００Ａに同じである。なお、冷媒回路１００２Ａに準じて、左室冷媒回収配管８５Ｌおよび中室冷媒回収配管８５Ｍに冷媒回収ポンプを設置してもよい。
なお、一室加熱運転のとき、加熱される商品収納庫が限定される場合には、左室冷媒回収配管６３Ｌまたは中室冷媒回収配管６３Ｍの一方のみを設置してもよい。
【００６２】
（冷媒の流れ、冷媒回収ＨＣＣ運転モード）
図１５において、冷媒回路１０００ＤのＨＣＣ運転モードにおける冷媒回収時の冷媒流れを実線にて示している。すなわち、通常のＨＣＣ運転モードを実行中に、左室冷媒回収電磁弁６３Ｌｖを閉じたまま、中室冷媒回収電磁弁６３Ｍｖを開いている。
したがって、ＨＣＣ運転モードの実行を継続しながら、中室凝縮器７Ｍに滞留していた冷媒は、中室冷媒回収配管６３Ｍ（中室冷媒回収電磁弁６３Ｍｖが開いている）を経由、冷却用低圧配管系の配管５３に吸引される。よって、かかる冷媒が冷媒循環回路に戻されるから、冷媒循環量が確保され、圧縮機１に過剰な負担をかけることなく、商品Ｓを所望の温度に保持することができる。このとき、滞留していた冷媒は、中室凝縮器７Ｍ内を通常の冷媒流れ方向とは逆の方向に流れる。
一方、通常のＣＨＣ運転モードを実行中に、中室冷媒回収電磁弁６３Ｍｖを閉じたまま、左室冷媒回収電磁弁６３Ｌｖを開けば、左室凝縮器７Ｌに滞留していた冷媒は、左室冷媒回収配管６３Ｌを経由して、冷却用低圧配管系の配管５３に吸引され、回収される（図示しない）。
【００６３】
（冷媒の流れ、冷媒回収ＣＣ運転モード）
また、冷媒回路１０００ＤのＣＣ運転モード（加熱する部屋がない）における冷媒回収時の冷媒流れは、通常のＨＣＣ運転モードを一旦中断して、ＣＣ運転モードに移行すると共に、左室冷媒回収電磁弁６３Ｌｖを閉じたまま、中室冷媒回収電磁弁６３Ｍｖを開くものである。
このとき、加熱用高圧配管系には高圧高温冷媒が流入することはなく、中室凝縮器７Ｍに滞留していた冷媒は、中室冷媒回収配管６３Ｍ（中室冷媒回収電磁弁６３Ｍｖが開いている）を経由して、冷却用低圧配管系の配管４５に吸引される。すなわち、冷媒回収ＨＣＣ運転モードと同様の作用効果が得られる。
一方、通常のＣＣ運転モードにおいて、中室冷媒回収電磁弁６３Ｍｖを閉じたまま、左室冷媒回収電磁弁６３Ｌｖを開けば、左室凝縮器７Ｌに滞留していた冷媒は、左室冷媒回収配管６３Ｌを経由して、冷却用低圧配管系の配管４５に吸引され、回収される。
【００６４】
（実施例−Ｄ１タイプ）
図１６において、冷媒回路１００１Ｄは、冷媒回路１０００Ｄに、加熱用高圧配管系の左室凝縮器７Ｌの入側６Ｌと冷却用低圧配管系の内部熱交換器３の入側とを連通する冷媒回収配管６３Ｌ（冷媒回収電磁弁６３Ｌｖが設置されている）を追加して設置したものである。
したがって、ＨＣＣ運転モードを継続しながら、あるいはＣＣ運転モードに一旦切り替えて、左室凝縮器７Ｌに滞留していた冷媒または中室凝縮器７Ｍに滞留していた冷媒の一方または両方を回収することができる。すなわち、冷媒回路１００１Ｄではかかる冷媒が配管５３に吸引されて低圧中温冷媒と混合されるのに対し、冷媒回路１００１Ｃ（実施の形態３、図１３参照）ではかかる冷媒が配管４５に吸引されて低圧低温冷媒と混合される点が相違するものの、前者は後者と同様の作用効果を奏する。
【００６５】
（実施例−Ｄ２タイプ）
図１７において、冷媒回路１００２Ｄは、冷媒回路１０００Ｄにおける冷媒回収配管６３Ｍに替えて、配管１６（圧縮機１と凝縮器７の入側６とを接続している）と配管５３（蒸発器５と内部熱交換器３とを接続している）とを連結する冷媒回収配管１３を設置したものである。そして、冷媒回収配管１３には、冷媒回収電磁弁１３ｖを設置し、配管１６の圧縮機１寄りに電磁弁１６ｖを設置したものである。
なお、冷媒回路１００２Ａに準じて、冷媒回収配管１３に冷媒回収ポンプを設置してもよい。
【００６６】
したがって、冷媒回路１００２Ｄは、前記した冷媒回路１００２Ｃ（実施の形態３、図１４参照）と同様に、中室凝縮器７Ｍを休止して、左室凝縮器７Ｌにのみ高圧高温冷媒を供給する「ＨＣＣ運転モード」を一旦中断して、「ＣＣ運転モード」を実行しながら、休止している中室凝縮器７Ｍに滞留していた冷媒または左室凝縮器７Ｌに供給された冷媒の一方または両方を回収することができる。すなわち、冷媒回路１００２Ｄではかかる冷媒が配管１６および冷媒回収配管１３に吸引されて低圧中温冷媒と混合されるのに対し、前記した冷媒回路１００２Ｃではかかる冷媒が配管４５に吸引されて低圧低温冷媒と混合される点が相違するものの、前者は後者と同様の作用効果を奏する。
【産業上の利用可能性】
【００６７】
本発明によれば、休止中の凝縮器に滞留していた冷媒を回収して冷媒循環回路に戻すことができるから、各種自動販売機として広く利用することができる。
【図面の簡単な説明】
【００６８】
【図１】本発明の実施の形態１〜４に係る自動販売機が装備する冷媒回路の特徴を対比する冷媒回路構成図。
【図２】本発明の実施の形態１に係る自動販売機を説明する断面図。
【図３】図１に示す自動販売機に設置された冷媒回路の構成図。
【図４】図３に示す冷媒回路における冷媒の流れ方を示す冷媒回路構成図。
【図５】図３に示す冷媒回路における冷媒の流れ方を示す冷媒回路構成図。
【図６】図３に示す冷媒回路における冷媒の流れ方を示す冷媒回路構成図。
【図７】図３に示す冷媒回路の実施例を示す冷媒回路構成図。
【図８】図３に示す冷媒回路の実施例を示す冷媒回路構成図。
【図９】図３に示す冷媒回路の実施例を示す冷媒回路構成図。
【図１０】本発明の実施の形態２に係る自動販売機に設置された冷媒回路における冷媒の流れ方を示す冷媒回路構成図。
【図１１】図１０に示す冷媒回路の実施例を示す冷媒回路構成図。
【図１２】本発明の実施の形態３に係る自動販売機に設置された冷媒回路における冷媒の流れ方を示す冷媒回路構成図。
【図１３】図１２に示す冷媒回路の実施例を示す冷媒回路構成図。
【図１４】図１２に示す冷媒回路の実施例を示す冷媒回路構成図。
【図１５】本発明の実施の形態４に係る自動販売機に設置された冷媒回路における冷媒の流れ方を示す冷媒回路構成図。
【図１６】図１５に示す冷媒回路の実施例を示す冷媒回路構成図。
【図１７】図１２に示す冷媒回路の実施例を示す冷媒回路構成図。
【符号の説明】
【００６９】
１ 圧縮機
２ ガスクーラ
２ｆ 庫外ファン
４ 膨張手段
５Ｌ 左室蒸発器
５Ｍ 中室蒸発器
５Ｒ 右室蒸発器
６ 凝縮器の入側
７Ｌ 左室凝縮器
７Ｍ 中室凝縮器
７Ｒ 右室蒸発器
８ 凝縮器の出側
９ 合流点
１３   冷媒回収配管
１３ｖ 冷媒回収電磁弁
１５   冷媒回収配管
１５ｖ 冷媒回収電磁弁
４０   エジェクタ
６３Ｌ   左室冷媒回収配管
６３Ｌｖ 左室冷媒回収電磁弁
６３Ｍ   中室冷媒回収配管
６３Ｍｖ 中室冷媒回収電磁弁
６５Ｌ   左室冷媒回収配管
６５Ｌｖ 左室冷媒回収電磁弁
６５Ｍ   中室冷媒回収配管
６５Ｍｖ 中室冷媒回収電磁弁
８３Ｌ   左室冷媒回収配管
８３Ｌｖ 左室冷媒回収電磁弁
８３Ｍ   中室冷媒回収配管
８３Ｍｖ 中室冷媒回収電磁弁
８５Ｌ   左室冷媒回収配管
８５Ｌｖ 左室冷媒回収電磁弁
８５Ｍ   中室冷媒回収配管
８５Ｍｖ 中室冷媒回収電磁弁
９３    冷媒回収配管
９３ｖ  冷媒回収電磁弁
９４    冷媒回収配管
９５    冷媒回収配管
９５ｐ  冷媒回収ポンプ
９５ｖ  冷媒回収電磁弁
２００   キャビネット
３００   断熱材
４００   商品収納庫
４００Ｌ 左室
４００Ｍ 中室
４００Ｒ 右室
４０３ＬＭ 仕切り板
４０３ＭＲ 仕切り板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 室内ファン
４４０ 庫内熱交換器
４５０ 送風ダクト
４６０ 風胴
４７０ コンデンシングユニット
４８０ 機械室
４８１ 庫外ファン
４９０ 電装品収納室
５００ 室内温度センサー
１０００   自動販売機（実施の形態１）
１０００Ａ 冷媒回路（実施の形態１）
１００１Ａ 冷媒回路（実施の形態１の実施例１）
１００２Ａ 冷媒回路（実施の形態１の実施例２）
１００３Ａ 冷媒回路（実施の形態１の実施例３）
１０００Ｂ 冷媒回路（実施の形態２）
１００１Ｂ 冷媒回路（実施の形態２の実施例１）
１０００Ｃ 冷媒回路（実施の形態３）
１００１Ｃ 冷媒回路（実施の形態３の実施例１）
１００２Ｃ 冷媒回路（実施の形態３の実施例２）
１０００Ｄ 冷媒回路（実施の形態４）
１００１Ｄ 冷媒回路（実施の形態４の実施例１）
１００２Ｄ 冷媒回路（実施の形態４の実施例２）
２０００   自動販売機（実施の形態２）
３０００   自動販売機（実施の形態３）
４０００   自動販売機（実施の形態４）
Ｓ 商品
【図１】
2010072810.tif 000003
【図２】
2010072810.tif 000004
【図３】
2010072810.tif 000005
【図４】
2010072810.tif 000006
【図５】
2010072810.tif 000007
【図６】
2010072810.tif 000008
【図７】
2010072810.tif 000009
【図８】
2010072810.tif 000010
【図９】
2010072810.tif 000011
【図１０】
2010072810.tif 000012
【図１１】
2010072810.tif 000013
【図１２】
2010072810.tif 000014
【図１３】
2010072810.tif 000015
【図１４】
2010072810.tif 000016
【図１５】
2010072810.tif 000017
【図１６】
2010072810.tif 000018
【図１７】
2010072810.tif 000019